(57)【要約】【課題】狭いスペースの仏壇内に、お花を供える花立て、蝋燭立て及び線香立てを別々に配置している。これらの仏具を一体化し、スペースを有効利用すること。【解決手段】  精油を溶存させたアルコール等の溶液中に生花又はドライフラワーを入れる水中花用容器から成る供花台部材と、容器の開口に嵌め溶液中に浸漬する灯芯を挿通した透光性を有する燭台部材と、燭台部材に嵌着するセラミック製スリーブ部材に設けた孔に灯芯を挿通し、外周に雄ネジを設けた金属性タップ部材を灯芯に嵌め、その上部を露出させてセラミック製スリーブ部材に建て込み、内周に雌ネジを設けた金属製スリーブ部材をセラミック製スリーブ部材の上面に回動自在に設けた香炉部材を燭台部材に嵌め込み、灯芯から芳香物質を揮発させる仏具である。【選択図】  図１
0003153918.tif 000002
【実用新案登録請求の範囲】
【請求項１】
アルコール又はパラフィン溶液に芳香物質を含有する精油を溶存させ、その溶液中に生花又はドライフラワーを入れる水中花用容器から成る供花台部材と、供花台部材の開口に嵌め込むと共に溶液中に浸漬する灯芯を挿通した透光性を有する燭台部材と、燭台部材に嵌め込み灯芯から芳香物質を揮発させる香炉部材をセラミック製スリーブ部材と、セラミック製スリーブ部材に設けた中心孔に灯芯を挿通すると共に灯芯の上部に外周に雄ネジを設けた金属性タップ部材を一体に嵌着してセラミック製スリーブ部材の上部に建て込み、且つ金属性タップ部材を灯芯と共にセラミック製スリーブ部材の上部から露出させ、内周に雌ネジを設け金属性タップ部材に設けた雄ネジに螺合させる金属製スリーブ部材をセラミック製スリーブ部材の上面に回動自在に設けて成る仏具。
【考案の詳細な説明】
【技術分野】
【０００１】
本考案は仏具に関し、アルコール又はパラフィン溶液に芳香物質を含有する精油を溶存させ、その溶液中に生花又はドライフラワーを入れる水中花用容器から成る供花台部材と、供花部材の開口に嵌め込む透光性を有する燭台部材と、燭台部材に嵌め込む香炉部材から成る仏具である。
【背景技術】
【０００２】
一般に芳香のついたアルコールは精油を溶存させたアルコールであり、精油は植物に含まれ、揮発性の芳香物質を含む有機化合物である。
【０００３】
水中花は生花でありアルコール液中で長期保存が可能である。
【０００４】
アルコールに溶存する精油中の芳香液を吸液可能な素材で形成されている特殊構造の灯芯に着火すると精油中の芳香物質が揮発して芳香を放つ。
【０００５】
バーナを安定して支持することができ、長時間継続して芳香液を蒸散することが可能な芳香器がある。例えば特許文献１・図１
アルコールに溶存する精油中の芳香液を吸液可能な素材で形成されている特殊構造の灯芯を用いている芳香器がある。例えば特許文献1・段落０００８。
【０００６】
生花を美麗に飾ることができ、同時に生花を長持ちさせる水中花の容器として、容器の下端の開口部を閉塞する蓋体に、周囲をカバーで囲んだ剣山を一体に構成した水中花の容器がある。例えば特許文献２・図１
容器内の透明又は半透明液体の中に入れられた反射片又は反射粉体を噴射させ、この反射片又は反射粉体に光が当たって反射し、花火のように鑑賞することができる水中花火装飾装置がある。例えば特許文献３・請求項８
【先行技術文献】
【特許文献】
【０００７】
【特許文献１】特開２００３-１９０２６８号公報
【特許文献２】特開２００５-２４０２０１号公報
【特許文献３】特開２００２-４６３９６号公報
【考案の概要】
【考案が解決しようとする課題】
【０００８】
特開２００３-１９０２６８号公報に係る芳香器のバーナは、芳香液を長時間にわたり蒸散させることを目的とするものであり、そのためバーナに着火しアルコール成分を含む芳香液をアルコールランプと同様の原理で燃焼させ、バーナを高温にした後に火を消すとバーナに塗布した白金等の触媒作用でバーナが高温状態で維持され、灯芯に含浸された芳香液を、毛細管現象によつてバーナに吸い上げ室内へ芳香液を放散させるものであり、バーナ着火による灯明としての使用はしない。即ち灯芯の芯端部は外キャップの上壁に接近した位置にあり、外キャップの上壁に設けている小孔から芳香成分を外部へ放散させる構造である。
【０００９】
特開２００５-２４０２０１号公報に係る水中花の容器は、生花を美麗に飾ると共に生花を長持ちさせることを目的とするものであり、容器の内部に水を充填すると共に容器の下部に蓋体を取り付けて水の漏洩を防ぎ且つ容器を密閉し、蓋体の中央に剣山を固定する構造であり、生花が外気に触れず長期にわたる自然状態が維持できるが、時折に水を交換することを要し、アルコール漬けの生花のような永久保存はできない。
【００１０】
特開２００２-４６３９６号公報に係る請求項８は、水中で花火が打ち上げられているような感じを鑑賞するものであり、更に透明又は半透明の容器の上方に発光体を設け花火をより華やかに鑑賞できる効果を生ずるものであるが、容器の中に水中花を入れるものではなく又、水中花を長持ちさせ且つ灯明を灯すと共に芳香を放つ仏具とは異なるものである。
【課題を解決するための手段】
【００１１】
アルコール又はパラフィン溶液に芳香物質を含有する精油を溶存させ、その溶液中に生花又はドライフラワーを入れる水中花用容器から成る供花台部材と、供花台部材の開口に嵌め込むと共に溶液中に浸漬する灯芯を挿通した透光性を有する燭台部材と、燭台部材に嵌め込み灯芯から芳香物質を揮発させる香炉部材から成る仏具であり、セラミック製スリーブ部材と、セラミック製スリーブ部材に設けた中心孔に灯芯を挿通すると共に灯芯の上部に外周に雄ネジを設けた金属性タップ部材を一体に嵌着してセラミック製スリーブ部材の上部に建て込み、且つ金属性タップ部材を灯芯と共にセラミック製スリーブ部材の上部から露出させ、内周に雌ネジを設け金属性タップ部材に設けた雄ネジに螺合させる金属製スリーブ部材をセラミック製スリーブ部材の上面に回動自在に設けた香炉部材から成るものであり、金属製スリーブ部材の回動で金属性タップ部材と一体の灯芯を出没させて炎の調節と消火を図り、灯芯の燃焼熱が金属製スリーブ部材から金属性タップ部材に伝導してセラミック製スリーブ部材を加温し、その温熱で溶液中の精油成分である芳香物質を揮発させ周辺に放つと共に、灯明光を透光性の燭台部材から供花台部材の溶液中に浮かぶ生花又はドライフラワーに投光して美麗な供花台部材とする仏具を提供することを目的とする。
【考案の効果】
【００１２】
金属製スリーブ部材の回動で金属性タップ部材と一体の灯芯を出没させて炎の調節と消火を図ることができ、灯芯の燃焼熱が金属製スリーブ部材から金属性タップ部材及びセラミック製スリーブ部材に伝導してセラミック製スリーブ部材を加温し、その温熱で溶液中の精油成分である芳香物質を揮発させ周辺に放つと共に、灯明光が透光性を有する燭台部材から供花台部材中で浮かぶ生花又はドライフラワーへ投光するため美麗であり、供花台部材から燭台部材を取り外しアルコール又はパラフィン溶液の補給と、生花又はドライフラワーの交換を容易に行うことができる。
【図面の簡単な説明】
【００１３】
【図１】本考案に係る仏具を示す中央部縦断面図。
【図２】本考案に係る仏具の要部拡大縦断面図。
【図３】本考案に係る仏具を示す外観斜視図。
【考案を実施するための形態】
【００１４】
精油が溶存するアルコール又はパラフィン溶液１と、溶液１中に生花又はドライフラワー２を入れ浸漬させる鍔付き水中花用容器から成る供花台部材３と、供花台部材３の開口に嵌め込む光が透過するガラス球体から成る鍔付き燭台部材４と、燭台部材４を貫通して嵌め込むセラミック製スリーブ部材5に設けた中心孔5ａに灯芯6を挿通すると共に、外周に雄ネジ7ａを設けた金属性タップ部材7を灯芯6の上部の露出部位に一体に嵌着し、金属性タップ部材7をセラミック製スリーブ部材5の上部に建て込んで金属性タップ部材7を灯芯6と一体にセラミック製スリーブ部材5の上部から露出させ、内周に雌ネジ8ａを設け金属性タップ部材7に設けた雄ネジ7ａに螺合させる金属製スリーブ部材8をセラミック製スリーブ部材5の上面に回動自在に設けた香炉部材9から成るものであり、金属製スリーブ部材8の回動で金属製タップ部材7と一体の灯芯6を出没させて炎の調節と消火を行い、灯芯6の燃焼熱が金属製スリーブ部材8から金属性タップ部材7を経てセラミック製スリーブ部材5に伝導してセラミック製スリーブ部材5を加熱し、その温熱で溶液中の精油成分である芳香物質を揮発させ周辺に放つと共に、灯明光を燭台部材4から透過させ供花台部材３中の生花又はドライフラワー2へ照射する。
【００１５】
供花台部材３の首部内周と燭台部材４の下部外周の間隙にＯリング9を水密に嵌め込んで溶液１が漏出しないようにし、燭台部材４の鍔縁に風除け用壁４ａを立設し灯明が吹き消されないようにする。
【産業上の利用可能性】
【００１６】
本考案は供花台部材３と、灯明を灯す燭台部材４と、灯芯6の燃焼熱で芳香物質を揮発させる香炉部材9をコンパクトに一体化しているため、仏壇のスペースが狭くても体裁よく纏めて飾ることができるため需要を喚起できる。
【符号の説明】
【００１７】
１  アルコール又はパラフィン溶液  ２  生花又はドライフラワー  
３  供花台部材  ４  燭台部材  6  灯芯  5  セラミック製スリーブ部材
7  金属製タップ部材8  金属製スリーブ部材  ９  香炉部材
【図１】
0003153918.tif 000003
【図２】
0003153918.tif 000004
【図３】
0003153918.tif 000005